(57)【要約】【課題】  文献１に記載の方法は、以下に示す点で問題がある。  第一の問題点は、挿入された可搬型記録媒体の物理情報を読み取るまでの時間は短縮されない。【解決手段】  【課題を解決するための手段】  本件発明は、上記課題に鑑みなされたものである。  第一の発明は、種別識別情報取得部と、可搬型記録媒体に応じた再生開始動作を実行する再生開始動作実行部と、前記再生開始動作の実行に基づいて可搬型記録媒体から媒体固有の固有識別情報を取得する固有識別情報取得部と、前記固有識別情報取得部で取得する固有識別情報と、その固有識別情報で識別される可搬型記録媒体の物理情報と、を関連付けて保持する物理情報保持部と、前記固有識別情報取得部で取得した固有識別情報に応じて前記物理情報保持部から物理情報を取得する物理情報取得部と、を有する情報記録再生装置に関する。【選択図】  図１
2006040369.tif 000002
【特許請求の範囲】
【請求項１】
複数の異なる仕様を有する可搬型記録媒体を再生可能な情報記録再生装置であって、
再生のための仕様が共通である可搬型記録媒体の種別を識別するための種別識別情報を取得する種別識別情報取得部と、
前記種別識別情報取得部で取得した種別識別情報で識別される種別の可搬型記録媒体に応じた再生開始動作を実行する再生開始動作実行部と、
前記再生開始動作の実行に基づいて可搬型記録媒体から媒体固有の固有識別情報を取得する固有識別情報取得部と、
前記固有識別情報取得部で取得する固有識別情報と、その固有識別情報で識別される可搬型記録媒体の物理情報と、を関連付けて保持する物理情報保持部と、
前記固有識別情報取得部で取得した固有識別情報に応じて前記物理情報保持部から物理情報を取得する物理情報取得部と、
を有する情報記録再生装置。
【請求項２】
前記物理情報取得部で取得した物理情報に基づいて可搬型記録媒体に利用者によって記録された情報に対してアクセスするための処理を実行するアクセス処理実行部をさらに有する請求項１に記載の情報記録再生装置。
【請求項３】
前記可搬型記録媒体は、ＤＶＤであって、
前記種別識別情報取得部で取得する種別識別情報は、前記可搬型記録媒体がＤＶＤ−ＲＷ、ＤＶＤ−Ｒのいずれかであることを示す情報である請求項１又は２に記載の情報記録再生装置。
【請求項４】
前記物理情報取得部で取得した物理情報に基づいて前記ＤＶＤが、ＤＶＤ−ＲＷのＶＲモードであるか判断するための第一判断部を有する請求項３に記載の情報記録再生装置。
【請求項５】
前記物理情報取得部で取得した物理情報に基づいて前記ＤＶＤが、ＤＶＤ−ＲＷのＶｉｄｅｏモードであって、ファイナライズ処理がされているか判断するための第二判断部を有する請求項３に記載の情報記録再生装置。
【請求項６】
前記物理情報取得部で取得した物理情報に基づいて前記ＤＶＤが、ＤＶＤ−Ｒであって、ファイナライズ処理がされているか判断するための第三判断部を有する請求項３に記載の情報記録再生装置。
【請求項７】
前記固有識別情報取得部での固有識別情報の取得が不可能であるか判断する取得可能判断部と、
前記取得可能判断部での判断結果が取得不可能であるとの判断結果である場合には、前記種別識別情報取得部で取得した種別識別情報で識別される可搬型記録媒体の種別と、前記再生開始動作実行部が再生開始動作を実行した対象となる可搬型記録媒体の種別とが不一致であることを前提とした処理を実行するための不一致処理実行部と、
を有する請求項１から６のいずれか一に記載の情報記録再生装置。
【請求項８】
可搬型記録媒体を挿入する挿入部と、
前記挿入部に挿入された可搬型記録媒体に対して、複数の異なる仕様に応じた再生開始動作を試みる再生トライ部と、
前記再生トライ部での再生開始動作によって可搬型記録媒体の固有識別情報と、その可搬型記録媒体の物理情報とを関連付けて取得して前記物理情報保持部に対して登録する物理情報登録部と、
を有する請求項１から７のいずれか一に記載の情報記録再生装置。
【発明の詳細な説明】
【技術分野】
【０００１】
本発明は、記録・再生が可能な可搬型記録媒体に記録されている内容を再生するまでの処理を高速化することができる情報記録再生装置に関する。
【背景技術】
【０００２】
従来、映像情報の記録・再生が可能な可搬型記録媒体に記録されている内容を短時間で画面表示する手段については、特許文献１に開示されているように、「第一の記憶手段と第二の記憶手段を用いる方法」を使用する情報記録再生装置等が提案されている。特許文献１の情報記録再生装置においては、まず、ＤＶＤ−ＲＷなどの可搬型記録媒体をＤＶＤレコーダなどの情報記録再生装置に挿入した際に、可搬型記録媒体の固有識別情報と物理情報（第一の記憶手段に記憶されている）が読み取られる。そして、読み取られた可搬型記録媒体の固有識別情報、物理情報と、ＨＤＤ（ハードディスクドライブ）などの第二の記憶手段に記憶されている内容との一致及びその有効性が確認される。その結果、第二の記憶手段に記憶されているタイトル情報を直ちに入手して、タイトル情報を高速に画面表示することができる。
【特許文献１】特開２００３−２２６５４
【発明の開示】
【発明が解決しようとする課題】
【０００３】
しかしながら、文献１に記載の方法は、以下に示す点で問題がある。
第一の問題点は、挿入された可搬型記録媒体の物理情報を読み取るまでの時間は短縮されない。
第二の問題点は、対象としている可搬型記録媒体に格納されるタイトル数が増えた場合、第二の記憶手段に記憶されているタイトル情報の情報量もその増分だけ増える。特にＨＤＤ付きＤＶＤレコーダなどで第二の記憶手段がＨＤＤなどの映像記録にも使用している場合には、上記情報量の増分だけ映像を記録するための領域が減ってしまう。更に上記可搬型記録媒体のタイトル削除を行った場合は、ＨＤＤ内の情報も上記メディア内の情報と同様に更新作業が必要である。
第三の問題点は、対象としている可搬型記録媒体へのタイトル追加や削除が他のＤＶＤレコーダにて実施された場合は、ＨＤＤ内の情報と上記可搬型記録媒体の情報とが一致しないので、高速にタイトル情報を画面表示することができず、その後の処理で情報の整合をとるための作業が繁雑になる。
【課題を解決するための手段】
【０００４】
本件発明は、上記課題に鑑みなされたものである。
【０００５】
第一の発明は、複数の異なる仕様を有する可搬型記録媒体を再生可能な情報記録再生装置であって、再生のための仕様が共通である可搬型記録媒体の種別を識別するための種別識別情報を取得する種別識別情報取得部と、前記種別識別情報取得部で取得した種別識別情報で識別される種別の可搬型記録媒体に応じた再生開始動作を実行する再生開始動作実行部と、前記再生開始動作の実行に基づいて可搬型記録媒体から媒体固有の固有識別情報を取得する固有識別情報取得部と、前記固有識別情報取得部で取得する固有識別情報と、その固有識別情報で識別される可搬型記録媒体の物理情報と、を関連付けて保持する物理情報保持部と、前記固有識別情報取得部で取得した固有識別情報に応じて前記物理情報保持部から物理情報を取得する物理情報取得部と、を有する情報記録再生装置に関する。
【０００６】
第二の発明は、前記物理情報取得部で取得した物理情報に基づいて可搬型記録媒体に利用者によって記録された情報に対してアクセスするための処理を実行するアクセス処理実行部をさらに有する第一の発明に記載の情報記録再生装置に関する。
【０００７】
第三の発明は、前記可搬型記録媒体は、ＤＶＤであって、前記種別識別情報取得部で取得する種別識別情報は、前記可搬型記録媒体がＤＶＤ−ＲＷ、ＤＶＤ−Ｒのいずれかであることを示す情報である第一の発明又は第二の発明に記載の情報記録再生装置に関する。
【０００８】
第四の発明は、前記物理情報取得部で取得した物理情報に基づいて前記ＤＶＤが、ＤＶＤ−ＲＷのＶＲモードであるか判断するための第一判断部を有する第三の発明に記載の情報記録再生装置に関する。
【０００９】
第五の発明は、前記物理情報取得部で取得した物理情報に基づいて前記ＤＶＤが、ＤＶＤ−ＲＷのＶｉｄｅｏモードであって、ファイナライズ処理がされているか判断するための第二判断部を有する第三の発明に記載の情報記録再生装置に関する。
【００１０】
第六の発明は、前記物理情報取得部で取得した物理情報に基づいて前記ＤＶＤが、ＤＶＤ−Ｒであって、ファイナライズ処理がされているか判断するための第三判断部を有する第三の発明に記載の情報記録再生装置に関する。
【００１１】
第七の発明は、前記固有識別情報取得部での固有識別情報の取得が不可能であるか判断する取得可能判断部と、前記取得可能判断部での判断結果が取得不可能であるとの判断結果である場合には、前記種別識別情報取得部で取得した種別識別情報で識別される可搬型記録媒体の種別と、前記再生開始動作実行部が再生開始動作を実行した対象となる可搬型記録媒体の種別とが不一致であることを前提とした処理を実行するための不一致処理実行部と、を有する第一の発明から第六の発明のいずれか一に記載の情報記録再生装置に関する。
【００１２】
第八の発明は、可搬型記録媒体を挿入する挿入部と、前記挿入部に挿入された可搬型記録媒体に対して、複数の異なる仕様に応じた再生開始動作を試みる再生トライ部と、前記再生トライ部での再生開始動作によって可搬型記録媒体の固有識別情報と、その可搬型記録媒体の物理情報とを関連付けて取得して前記物理情報保持部に対して登録する物理情報登録部と、を有する第一の発明から第七の発明のいずれか一に記載の情報記録再生装置に関する。
【発明の効果】
【００１３】
本発明の情報記録再生装置によれば、可搬型記録媒体の固有識別情報と物理情報とを関連付けて登録することができる。そして、登録されている可搬型記録媒体の種類と状態に応じて「物理情報読み込み処理」、「ファイルシステムの先頭アドレス、あるいはアプリケーションデータの特定のアドレスの読み込み処理」を実行することなく、可搬型記録媒体内のファイルシステムの先頭アドレス、あるいはアプリケーションデータの特定のアドレスを入手することができる。また、ファイルシステムの読み込み処理をすることなくタイトル情報を得ることもできる。したがって、可搬型記録媒体が挿入されてから「タイトル情報」を画面表示するまでの時間を、登録されていない可搬型記録媒体の場合と比較して高速化することができる。また、可搬型記録媒体内のタイトル数が増加してもＨＤＤ内に記録されるタイトル情報は増加することがない。さらに、他のＤＶＤレコーダ等にて可搬型記録媒体へのタイトル追加や削除が実施されたとしても、本発明の手順には何ら変わるところが無く、タイトル情報を高速に画面表示できる。
【発明を実施するための最良の形態】
【００１４】
以下に本件発明の実施形態を説明する。実施形態と、請求項との関係はおおむね次のようなものである。
実施形態１は、主に、請求項１について説明している。
実施形態２は、主に、請求項２について説明している。
実施形態３は、主に、請求項３について説明している。
実施形態４は、主に、請求項４について説明している。
実施形態５は、主に、請求項５について説明している。
実施形態６は、主に、請求項６について説明している。
実施形態７は、主に、請求項７について説明している。
実施形態８は、主に、請求項８について説明している。
以下に、図を用いて本発明の実施の形態を説明する。なお、本発明はこれら実施の形態に何ら限定されるものではなく、その要旨を逸脱しない範囲において、種々なる態様で実施しうる。
【００１５】
<<実施形態１>>
以下に実施形態１について説明する。
【００１６】
<実施形態１の概念>
以下に本実施形態の概念について説明する。一般的に、可搬型記録媒体の物理情報を、可搬型記録媒体自身から直接読み取るためには比較的処理に時間がかかる。これは、可搬型記録媒体自身に対するアクセスの回数が多くなるのと、アクセス時間が多くかかるためである。本実施形態の情報記録再生装置は、可搬型記録媒体の再生開始動作に際して、可搬型記録媒体の物理情報（詳細については後述する）を、可搬型記録媒体自身から直接読取る処理を省略することができる点に特徴がある。以下に図を用いて簡単に説明する。
図１は本実施形態の情報記録再生装置の概念の一例を示す図である。利用者は、可搬型記録媒体０１０１の再生に際して、まず情報記録再生装置０１００に対して「可搬型記録媒体の種別」の入力をする（ステップ１）。次に、利用者は、再生する可搬型記録媒体を情報記録再生装置に挿入する（ステップ２）。次に、情報記録再生装置は、可搬型記録媒体から固有識別情報（例えば、００００  ０００１）を読み出す（ステップ３）。次に、情報記録再生装置は、自身が保持している固有識別情報と関連付けられた物理情報を検索する（ステップ４）。次に、情報記録再生装置は、可搬型記録媒体から固有識別情報（００００  ０００１）と一致する固有識別情報と関連付けられた物理情報１を取得する（ステップ５）。
【００１７】
<構成要件の明示>
以下に本実施形態の構成要件を明示する。
図２は、本実施形態の機能ブロックの一例を示す図である。情報記録再生装置０２００は、種別識別情報取得部０２０１と、再生開始動作実行部０２０２と、固有識別情報取得部０２０３と、物理情報保持部０２０４と、物理情報取得部０２０５と、からなる。
【００１８】
<構成要件の説明>
以下に、本実施形態の構成要件の説明をする。
【００１９】
（種別識別情報取得部）
「種別識別情報取得部」は、種別識別情報を取得する。ここで「種別識別情報」とは、再生のための仕様が共通である可搬型記録媒体の種別を識別するための情報のことをいう。
また「仕様」とは、可搬型記録媒体の物理仕様、論理仕様、アプリケーション仕様のことをいう。以下に、物理仕様、論理仕様、アプリケーション仕様について説明する。
一般的に、可搬型記録媒体を情報記録再生装置で扱い、映像情報や音声情報を再生するなどの機能、動作を実現するためには、大きく三つの層の働きが必要とされる。これらをそれぞれ物理層、ファイルシステム層、アプリケーション層という。
物理層は、可搬型記録媒体のディスク形状、セクタ構造、変調方式など物理的な部分を定めたものであり、可搬型記録媒体ごとに物理仕様（物理規格、物理フォーマットともいう）として決められる。物理仕様が一致しないと情報記録再生装置に可搬型記録媒体を挿入できない、挿入しても信号を記録したり再生したりすることができない。
ファイルシステム層は、可搬型記録媒体の物理特性の違いを吸収してデータ空間とファイル単位でのデータ管理構造をアプリケーション層に提供する。可搬型記録媒体への記録データあるいは可搬型記録媒体からの再生データをファイルとして扱うように可搬型記録媒体の使用方法が決められており、論理仕様（論理規格、論理フォーマット、ファイルフォーマットともいう）と呼ばれる。ある論理仕様で可搬型記録媒体に記録されたファイルは、その論理仕様がサポートされた情報記録再生装置であればそのファイルを読み出すことができる。
アプリケーション層は、映像・音声コンテンツなどのアプリケーションを楽しむためのデータ構造がファイル単位でアプリケーション仕様（アプリケーション規格ともいう）として決められる。例えば、ワープロソフトはアプリケーションソフトであるが、あるワープロソフトで書いた文章を可搬型記録媒体に文書として記録しても、別のアプリケーションソフトでは読み出すことができない。このようにアプリケーション層が一致しないとファイルの中身を読み出し、活用したり、楽しんだりすることができない。
【００２０】
また「可搬型記録媒体」とは、持ち運びが可能な程度の大きさの記録・再生が可能な媒体のことをいう。可搬型記録媒体には、一例として、物理仕様の違いによって、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  Ｄｉｓｃ）、ＭＤ（Ｍｉｎｉ  Ｄｉｓｃ）、ＰＤ（Ｐｈａｓｅ  ｃｈａｎｇｅ  ｒｅｗｒｉｔａｂｌｅ  Ｄｉｓｋ）、Ｂｌｕ−ｒａｙ  Ｄｉｓｃなどが挙げられる。さらに「可搬型記録媒体の種別」とは、可搬型記録媒体の記録方式の種類のことをいう。可搬型記録媒体の種別には、一例として、一度だけ記録可能な追記型ディスク、何度も消去して記録可能な書換型ディスクなどが挙げられる。一度だけ記録可能な追記型ディスクには、一例として、ＣＤ−Ｒ（ＣＤ−Ｒｅｃｏｒｄａｂｌｅ）、ＤＶＤ−Ｒ（ＤＶＤ−Ｒｅｃｏｒｄａｂｌｅ）、ＤＶＤ＋Ｒ（ＤＶＤ＋Ｒｅｃｏｒｄａｂｌｅ）などが挙げられる。何度も消去して記録可能な書換型ディスクには、一例として、ＣＤ−ＲＷ（ＣＤ−ＲｅＷｒｉｔａｂｌｅ）、ＤＶＤ−ＲＷ（ＤＶＤ−ＲｅＷｒｉｔａｂｌｅ）、ＤＶＤ＋ＲＷ（ＤＶＤ＋ＲｅＷｒｉｔａｂｌｅ）、ＤＶＤ−ＲＡＭ（ＤＶＤ−Ｒａｎｄｏｍ  Ａｃｃｅｓｓ  Ｍｅｍｏｒｙ）などが挙げられる。そして種別識別情報には、一例として、「可搬型記録媒体はＣＤ−Ｒ／ＲＷである」、「可搬型記録媒体はＤＶＤ−Ｒである」、「可搬型記録媒体はＤＶＤ−ＲＷである」、「可搬型記録媒体はＤＶＤ−Ｒ／ＲＷである」、「可搬型記録媒体はＤＶＤ＋Ｒ／ＲＷである」、「可搬型記録媒体はＤＶＤ−ＲＡＭである」などの情報が挙げられる。
種別識別情報は、一例として、利用者が種別識別情報を情報記録再生装置に入力することにより取得される。種別識別情報取得部にて取得された種別識別情報は、再生開始動作実行部に出力される。
【００２１】
（再生開始動作実行部）
「再生開始動作実行部」は、種別識別情報取得部で取得した種別識別情報で識別される種別の可搬型記録媒体に応じた再生開始動作を実行する。ここで「再生開始動作」とは、映像・音声などのアプリケーションの再生に先立って、情報記録再生装置に挿入された可搬型記録媒体の有する固有識別情報（後述する）の格納されているアドレスにアクセスする動作のことをいう。したがって、再生開始動作実行部は、種別識別情報で識別される種別の可搬型記録媒体に応じたアドレスにアクセスする。再生開始動作実行部は、再生開始動作の実行の結果、固有識別情報を読み取り、固有識別情報取得部に固有識別情報を出力する。
図３は、可搬型記録媒体の種別と再生開始動作に際してアクセスするアドレスの対応の一例を示す図である。例えば、種別が「Ａ」であれば、アクセスするアドレスが「Ａ０００  ００００（ｈ）」となることを示している。同様に、種別が「Ｂ」、「Ｃ」、「Ｄ」であれば、アクセスするアドレスはそれぞれ「Ｂ０００  ００００（ｈ）」、「Ｃ０００  ００００（ｈ）」、「Ｄ０００  ００００（ｈ）」となることを示している。上記アドレスにアクセスすることにより、可搬型記録媒体の固有識別情報を読み出すことができる。
【００２２】
（固有識別情報取得部）
「固有識別情報取得部」は、再生開始動作の実行に基づいて可搬型記録媒体から媒体固有の固有識別情報を取得する。ここで「固有識別情報」とは、可搬型記録媒体の種別ごとにユニークに割り当てられた可搬型記録媒体を識別するための番号のことをいう。固有識別情報には、一例として、「００００  ０００１（ｈ）」、「００００  ０００２（ｈ）」、「００００  ０００３（ｈ）」、「００００  ０００４（ｈ）」、・・・、「ＦＦＦＦ  ＦＦＦＦ（ｈ）」などが挙げられる。固有識別情報取得部が取得した固有識別情報は、物理情報取得部に出力される。
【００２３】
（物理情報保持部）
「物理情報保持部」は、固有識別情報取得部で取得する固有識別情報と、その固有識別情報で識別される可搬型記録媒体の物理情報と、を関連付けて保持する。ここで「物理情報」とは、可搬型記録媒体の種別、モード、バージョン、ファイナライズの有無を示す情報のことをいう。また「モード」とは、アプリケーション仕様の種類のことをいう。「バージョン」とは、物理仕様、論理仕様の版数のことをいう。「ファイナライズ」とは、記録が終了した可搬型記録媒体を他の情報記録再生装置で再生できるようにするための最終処理のことをいう。例えば、ＤＶＤ−Ｒをファイナライズすると、市販のＤＶＤソフト（映画など）と同じ記録形式になり、一般のＤＶＤプレーヤーで再生できるようになる。ただし、いったんファイナライズすると、それ以上書きこみができなくなる。これに対してＤＶＤ−ＲＷは、ファイナライズを解除すること（アンファイナライズ）ができるので、追加の書きこみができる。物理情報には、一例として、種別：ＤＶＤ−ＲＷ、モード：ＶＲ、バージョン：１．０、ファイナライズの有無：未、などの情報が挙げられる。
図４は、物理情報保持部に保持されている固有識別情報と関連付けられた物理情報の一例を示す図である。例えば、固有識別情報「００００  ０００１（ｈ）」、「００００  ０００２（ｈ）」、「００００  ００３０（ｈ）」、「００００  ０４００（ｈ）」、「００００  ５０００（ｈ）」、「００００  ６０００（ｈ）」、「０００７  ００００（ｈ）」に対しては、物理情報（種別、モード、バージョン、ファイナライズの有無）は、それぞれ「Ａ、α、１．０、未」、「Ａ、α、１．０、済」、「Ａ、α、２．０、済」、「Ａ、β、１．０、未」、「Ｂ、γ、１．０、済」、「Ｂ、γ、２．０、未」、「Ｃ、δ、１．０、未」と関連付けられて、保持されている。
なお、固有識別情報と関連付けられた物理情報は、実施形態８に記載の方法によって物理情報保持部に保持される。その保持の方法の詳細については、実施形態８で述べる。
【００２４】
（物理情報取得部）
「物理情報取得部」は、固有識別情報取得部で取得した固有識別情報に応じて物理情報保持部から物理情報を取得する。すなわち、固有識別情報取得部で取得した固有識別情報と一致する固有識別情報と関連付けられた物理情報を、物理情報保持部から検索して取得する。例えば、固有識別情報取得部で取得された固有識別情報が「００００  ０００１（ｈ）」で、物理情報保持部が保持している物理情報が図４に示すものであるとする。この場合には、図４の中から固有識別情報「００００  ０００１（ｈ）」に一致する固有識別情報と関連付けられた物理情報（種別、モード、バージョン、ファイナライズの有無）「Ａ、α、１．０、未」を取得する。
【００２５】
<実施形態１の処理の流れ>
以下に本実施形態の処理の流れを説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図５は、本実施形態の処理の流れを示す図である。
まず種別識別情報取得ステップは、再生のための仕様が共通である可搬型記録媒体の種別を識別するための種別識別情報を取得する（ステップＳ０５０１）。次に再生開始動作実行ステップは、種別識別情報取得ステップで取得した種別識別情報で識別される種別の可搬型記録媒体に応じた再生開始動作を実行する（ステップＳ０５０２）。次に固有識別情報取得ステップは、再生開始動作の実行に基づいて可搬型記録媒体から媒体固有の固有識別情報を取得する（ステップＳ０５０３）。次に物理情報取得ステップは、固有識別情報取得ステップで取得した固有識別情報に応じて物理情報保持部から物理情報を取得する（ステップＳ０５０４）。
【００２６】
（実施形態１の実施例）
以下に、本実施形態の実施例について説明する。
図６は、本実施例の具体的機能ブロックの一例を示す図である。情報記録再生装置０６００は、種別識別情報取得部０６０１と、再生開始動作実行部０６０２と、固有識別情報取得部０６０３と、物理情報保持部０６０４と、物理情報取得部０６０５と、からなる。
また図７は、本実施例の具体的処理の流れを示す図である。以下本実施例について図６、図７を用いて説明する。
まず利用者は、再生する可搬型記録媒体の種別が「Ａ」であることを種別識別情報取得部に入力することにより、種別識別情報取得部は種別識別情報（種別「Ａ」）を取得する（ステップＳ０７０１）。次に利用者は、当該可搬型記録媒体を情報記録再生装置に挿入する。再生開始動作実行部は、可搬型記録媒体の種別「Ａ」に応じた再生開始動作を実行する（ステップＳ０７０２）（例えば、図３の例では、アドレス「Ａ０００  ００００（ｈ）」にアクセスして固有識別情報を読み取る）。次に固有識別情報取得部は、固有識別情報「００００  ０００１」を取得する（ステップＳ０７０３）。次に物理情報取得部は、固有識別情報取得部が取得した固有識別情報「００００  ０００１」と関連付けられた物理情報（種別、モード、バージョン、ファイナライズの有無）「Ａ、α、１．０、未」を物理情報保持部より取得する（ステップＳ０７０４）。
【００２７】
<実施形態１の効果の簡単な説明>
本実施形態の情報記録再生装置によれば、可搬型記録媒体の再生に際して、物理情報保持部に保持されている可搬型記録媒体の固有識別情報と関連付けられた物理情報を読み出すことができる。したがって、可搬型記録媒体からの「物理情報読み込み処理」を実行することなく、物理情報を入手することができるので、可搬型記録媒体からの「物理情報読み込み処理」を実行する場合に比べて、処理を高速化することができる。また、タイトル情報を記憶しないため、タイトル情報による記憶領域の減少が発生しない。
【００２８】
<<実施形態２>>
以下に実施形態２について説明する。
【００２９】
<実施形態２の概念>
以下に本実施形態の概念について説明する。本実施形態は、物理情報取得部で取得した物理情報に基づいて可搬型記録媒体に利用者によって記録された情報に対してアクセスするための処理を実行するアクセス処理実行部をさらに有する実施形態１に記載の情報記録再生装置に関する。本実施形態によれば、以下に述べるように、可搬型記録媒体の再生開始動作に際して、可搬型記録媒体の物理情報だけでなくファイルシステムの先頭アドレス、あるいはアプリケーションデータの特定のアドレスも、可搬型記録媒体自身から直接読取る処理を省略することができる点に特徴がある。以下に図を用いて簡単に説明する。
図８は本実施形態の情報記録再生装置の概念の一例を示す図である。利用者は、可搬型記録媒体０８０１の再生に際して、まず情報記録再生装置０８００に対して「可搬型記録媒体の種別」の入力をする（ステップ１）。次に、利用者は、再生する可搬型記録媒体を情報記録再生装置に挿入する（ステップ２）。次に、情報記録再生装置は、可搬型記録媒体から固有識別情報（例えば、００００  ０００１）を読み出す（ステップ３）。次に、情報記録再生装置は、自身が保持している固有識別情報と関連付けられた物理情報を検索する（ステップ４）。次に、情報記録再生装置は、可搬型記録媒体から固有識別情報（００００  ０００１）と一致する固有識別情報と関連付けられた物理情報１を取得する（ステップ５）。次に、情報記録再生装置は、取得した物理情報１からファイルシステムの先頭アドレス「１０００  ００００」にアクセスする。
【００３０】
<構成要件の明示>
以下に本実施形態の構成要件を明示する。
図９は、本実施形態の機能ブロックの一例を示す図である。情報記録再生装置０９００は、種別識別情報取得部０９０１と、再生開始動作実行部０９０２と、固有識別情報取得部０９０３と、物理情報保持部０９０４と、物理情報取得部０９０５と、アクセス処理実行部０９０６と、からなる。
【００３１】
<構成要件の説明>
以下に、本実施形態の構成要件の説明をする。
【００３２】
（種別識別情報取得部）、（再生開始動作実行部）、（固有識別情報取得部）、（物理情報保持部）、（物理情報取得部）
種別識別情報取得部、再生開始動作実行部、固有識別情報取得部、物理情報保持部、物理情報取得部については、実施形態１と同様なので説明を省略する。
【００３３】
（アクセス処理実行部）
「アクセス処理実行部」は、物理情報取得部で取得した物理情報に基づいて可搬型記録媒体に利用者によって記録された情報に対してアクセスするための処理を実行する。ここで「利用者によって記録された情報」とは、映像情報、音声情報などのアプリケーションデータのことをいう。また「アクセスするための処理」とは、アプリケーションデータの再生に際して必要とされる可搬型記録媒体のファイルシステム情報の読み込み処理、あるいはアプリケーションデータの特定のアドレスの読み込み処理のことをいう。「ファイルシステム情報」とは、ファイルシステムの先頭アドレスから始まる情報のことをいう。これは、アプリケーションデータをアクセスするために必要な情報、例えば、格納場所やデータの大きさを示す情報がファイルシステムの中に格納されているからである。ここで「ファイルシステム」とは、可搬型記録媒体上のファイルを管理するためのしくみであり、論理的に扱うファイルやディレクトリを、実際の物理的なディスク上に対応させ、ファイルやディレクトリ自体を構成する体系のことをいう。ファイルシステムは、論理層の構成要素である。また「アプリケーションデータの特定のアドレス」には、一例として、タイトル情報が格納されているアドレスが挙げられる。なお、ファイルシステムの先頭アドレスは、規格として一義的に決められている。ファイルシステムの先頭アドレスは、一例として、情報記録再生装置の出荷時に、物理情報と関連付けられて情報記録再生装置に保持されている。また、ファイルシステムの先頭アドレス、あるいはアプリケーションデータの特定のアドレスは、最初に可搬型記録媒体の記録を行ったときに、固有識別情報と関連付けられて保持されてもよい。
図１０は、物理情報と関連付けられたファイルシステムの先頭アドレスの一例を示す図である。例えば、図１０は、物理情報（種別、モード、バージョン、ファイナライズの有無）が、「Ａ、α、１．０、未」、「Ａ、α、１．０、済」、「Ａ、α、２．０、未／済」、「Ａ、β、１．０、未」、「Ｂ、γ、１．０、未／済」、「Ｂ、γ、２．０、未／済」、「Ｃ、δ、１．０、未」であれば、それぞれのファイルシステムの先頭アドレスが「００００  ００００」、「０００１  ００００」、「００１２  ００００」、「０１００  ００００」、「１２０２  ００００」、「１２１２  ００００」、「２３００  ００００」となることを示している。
【００３４】
<実施形態２の処理の流れ>
以下に本実施形態の処理の流れを説明する。
図１１は、本実施形態の処理の流れを示す図である。
まず種別識別情報取得ステップは、再生のための仕様が共通である可搬型記録媒体の種別を識別するための種別識別情報を取得する（ステップＳ１１０１）。次に再生開始動作実行ステップは、種別識別情報取得ステップで取得した種別識別情報で識別される種別の可搬型記録媒体に応じた再生開始動作を実行する（ステップＳ１１０２）。次に固有識別情報取得ステップは、再生開始動作の実行に基づいて可搬型記録媒体から媒体固有の固有識別情報を取得する（ステップＳ１１０３）。次に物理情報取得ステップは、固有識別情報取得ステップで取得した固有識別情報に応じて物理情報保持部から物理情報を取得する（ステップＳ１１０４）。次に、アクセス処理実行ステップは、物理情報取得ステップで取得した物理情報に基づいて可搬型記録媒体に利用者によって記録された情報に対してアクセスするための処理を実行する（ステップＳ１１０５）。すなわち、物理情報と関連付けられたファイルシステムの先頭アドレス、あるいはアプリケーションデータの特定のアドレスにアクセスする。
【００３５】
<実施形態２の処理の流れ（その２）>
以下に本実施形態の処理の流れを説明する。
まず種別識別情報取得ステップは、再生のための仕様が共通である可搬型記録媒体の種別を識別するための種別識別情報を取得する。次に再生開始動作実行ステップは、種別識別情報取得ステップで取得した種別識別情報で識別される種別の可搬型記録媒体に応じた再生開始動作を実行する。次に固有識別情報取得ステップは、再生開始動作の実行に基づいて可搬型記録媒体から媒体固有の固有識別情報を取得する。次にアクセス処理実行ステップは、固有識別情報取得ステップで取得した固有識別情報に基づいて可搬型記録媒体に利用者によって記録された情報に対してアクセスするための処理を実行する。すなわち、固有識別情報と関連付けられたファイルシステムの先頭アドレス、あるいはアプリケーションデータの特定のアドレスにアクセスする。
【００３６】
（実施形態２の実施例）
以下に、本実施形態の実施例について説明する。
図１２は、本実施例の具体的機能ブロックの一例を示す図である。情報記録再生装置１２００は、種別識別情報取得部１２０１と、再生開始動作実行部１２０２と、固有識別情報取得部１２０３と、物理情報保持部１２０４と、物理情報取得部１２０５と、アクセス処理実行部１２０６と、からなる。
また図１３は、本実施例の具体的処理の流れを示す図である。以下本実施例について図１２、図１３を用いて説明する。
まず利用者が再生する可搬型記録媒体の種別が「Ａ」であることを種別識別情報取得部に入力することにより、種別識別情報取得部は種別識別情報（種別「Ａ」）を取得する（ステップ１３０１）。次に利用者は、当該可搬型記録媒体を情報記録再生装置に挿入する。再生開始動作実行部は、可搬型記録媒体の種別「Ａ」に応じた再生開始動作を実行する（ステップＳ１３０２）（例えば、図３の例では、アドレス「Ａ０００  ００００（ｈ）」にアクセスして固有識別情報を読み取る）。次に固有識別情報取得部は、固有識別情報「００００  ０００１」を取得する（ステップＳ１３０３）。次に物理情報取得部は、固有識別情報取得部が取得した固有識別情報「００００  ０００１」と関連付けられた物理情報（種別、モード、バージョン、ファイナライズの有無）「Ａ、α、１．０、未」を物理情報保持部より取得する（ステップＳ１３０４）。次にアクセス処理実行部は、物理情報と関連付けられたファイルシステムの先頭アドレス（００００  ００００）にアクセスする（ステップＳ１３０５）。
【００３７】
<実施形態２の効果の簡単な説明>
本実施形態の情報記録再生装置によれば、可搬型記録媒体の再生に際して、物理情報保持部に保持されている可搬型記録媒体の固有識別情報と関連付けられた物理情報と、物理情報に関連付けられたファイルシステムの先頭アドレスを読み出すことができる。したがって、可搬型記録媒体からの「物理情報読み込み処理」、「ファイルシステムの先頭アドレス、あるいはアプリケーションデータの特定のアドレス読み込み処理」を実行することなく、物理情報、ファイルシステムの先頭アドレス、あるいはアプリケーションデータの特定のアドレスを入手することができる。したがって、可搬型記録媒体からの「物理情報読み込み処理」、「ファイルシステムの先頭アドレス、あるいはアプリケーションデータの特定のアドレス読み込み処理」を実行する場合に比べて、処理を高速化することができる。
【００３８】
<<実施形態３>>
以下に実施形態３について説明する。
【００３９】
<実施形態３の概念>
以下に本実施形態の概念について説明する。本実施形態は、可搬型記録媒体が、ＤＶＤであって、種別識別情報取得部で取得する種別識別情報が、可搬型記録媒体がＤＶＤ−ＲＷ、ＤＶＤ−Ｒのいずれかであることを示す情報である実施形態１又は２に記載の情報記録再生装置に関する。種別識別情報が、可搬型記録媒体がＤＶＤ−ＲＷ、ＤＶＤ−Ｒのいずれかであることを示す情報である点以外は実施形態１又は２と同様であるので、説明を省略する。ただしＤＶＤ−ＲＷ、ＤＶＤ−Ｒは以下に示すような特徴を有する。
ＤＶＤ（Ｄｉｇｉｔａｌ  Ｖｅｒｓａｔｉｌｅ  Ｄｉｓｃ：デジタル多用途ディスク）は、映像作品や大容量データの収録など、多目的に利用できる記憶媒体である。厚さ０．６ｍｍのディスクを２枚張り合わせた構造になっており、それぞれ１層または２層の記録層をもつ。１２ｃｍのディスクの場合、片面層は４．７ＧＢ（Ｇｉｇａ  Ｂｙｔｅｓ）、片面２層は８．５ＧＢとなり、両面１層は９．４ＧＢ、両面２層で１７ＧＢとなる。
記録ができる記録型のＤＶＤは、ＣＤ−Ｒ／ＲＷと同じ直径１２ｃｍのディスク形状にもかかわらず、その記憶容量は約７倍の４．７ＧＢの容量を有する。また、記録型ＤＶＤは、パソコンのデータ、動画や静止画の画像データ、さらに音楽データとあらゆるデジタルデータを記録することができる。そして記録されたＤＶＤは、ＤＶＤ−ＲＯＭ（ＤＶＤ−Ｒｅａｄ  Ｏｎｌｙ  Ｍｅｍｏｒｙ）ドライブやＤＶＤプレーヤーで再生できるという幅広い互換性を有している。また記録型ＤＶＤには、追記型のＤＶＤ−Ｒと、書換型のＤＶＤ−ＲＷがある。ＤＶＤ−Ｒは、１回だけ書き込み可能なＤＶＤ規格の一種であり、容量は、片面４．７ＧＢである。ＤＶＤ−ＲＷは、相変化記録方式による書き換え型ＤＶＤ規格の一種であり、容量は片面４．７ＧＢである。
図１４は、ＤＶＤのファイルフォーマットの一例を示す図である。ＬＥＡＤ  ＩＮエリアは、固有識別情報（Ｕｎｉｑｕｅ  Ｄｉｓｃ  ＩＤ）、物理情報、ファイルシステムの先頭アドレス、トラックのスタート位置（ＴＯＣ（Ｔａｂｌｅ  Ｏｆ  Ｃｏｎｔｅｎｔｓ）ディスク情報）などが記録された各種制御情報の領域である。Ｖｏｌｕｍｅ&Ｆｉｌｅ  Ｓｔｒｕｃｔｕｒｅはファイルシステムが格納された領域である。ＬＥＡＤ  ＯＵＴエリアは、プログラムの終了を示す情報が記録される領域である。
【００４０】
<実施形態３の効果の簡単な説明>
本実施形態の情報記録再生装置によれば、可搬型記録媒体がＤＶＤ−ＲＷ、ＤＶＤ−Ｒのいずれかであるので、実施形態１又は２の効果に加えて、多目的に利用できるという特徴がある。
【００４１】
<<実施形態４>>
以下に実施形態４について説明する。
【００４２】
<実施形態４の概念>
以下に本実施形態の概念について説明する。本実施形態は、物理情報取得部で取得した物理情報に基づいてＤＶＤが、ＤＶＤ−ＲＷのＶＲモードであるか判断するための第一判断部を有する実施形態３に記載の情報記録再生装置に関する。本実施形態によれば、以下に述べるように、可搬型記録媒体の再生開始動作に際して、可搬型記録媒体が、ＤＶＤ−ＲＷのＶＲモードであるか判断する点に特徴がある。以下に図を用いて簡単に説明する。
図１５は本実施形態の情報記録再生装置の概念の一例を示す図である。利用者は、可搬型記録媒体１５０１の再生に際して、まず情報記録再生装置１５００に対して「おこのみメディア」である旨の入力をする（ステップ１）。ここで「おこのみメディア」とは、情報記録再生装置に固有識別情報と物理情報が登録された可搬型記録媒体のことをいう。次に、利用者は、再生する可搬型記録媒体を情報記録再生装置に挿入する（ステップ２）。次に、情報記録再生装置は、可搬型記録媒体から固有識別情報（Ｕｎｉｑｕｅ  Ｄｉｓｃ  ＩＤともいう、例えば、００００  ０００１）を読み出す（ステップ３）。次に、情報記録再生装置は、自身が保持している固有識別情報と関連付けられた物理情報を検索する（ステップ４）。次に、情報記録再生装置は、可搬型記録媒体から固有識別情報（００００  ０００１）と一致する固有識別情報と関連付けられた物理情報（ディスク種別、モード、バージョン、ファイナライズの有無）「ＤＶＤ−ＲＷ、ＶＲ、１．０、未」を取得する（ステップ５）。次に、情報記録再生装置は、取得した物理情報「ＤＶＤ−ＲＷ、ＶＲ、１．０、未」から、ＶＲモードであると判断してナビファイルの先頭アドレス「０００３  ００００」にアクセスする。ここでモードは、物理情報に記載されている。
【００４３】
<構成要件の明示>
以下に本実施形態の構成要件を明示する。
図１６は、本実施形態の機能ブロックの一例を示す図である。情報記録再生装置１６００は、種別識別情報取得部１６０１と、再生開始動作実行部１６０２と、固有識別情報取得部１６０３と、物理情報保持部１６０４と、物理情報取得部１６０５と、アクセス処理実行部１６０６と、第一判断部１６０７と、からなる。
【００４４】
<構成要件の説明>
以下に、本実施形態の構成要件の説明をする。
【００４５】
（種別識別情報取得部）、（再生開始動作実行部）、（固有識別情報取得部）、（物理情報保持部）、（物理情報取得部）
種別識別情報取得部、再生開始動作実行部、固有識別情報取得部、物理情報保持部、物理情報取得部については、実施形態３と同様なので説明を省略する。
【００４６】
（第一判断部）
「第一判断部」は、物理情報取得部で取得した物理情報に基づいてＤＶＤが、ＤＶＤ−ＲＷのＶＲモードであるか判断する。この判断は、取得した物理情報のモードの種類に従う。ここで「ＶＲ（Ｖｉｄｅｏ  Ｒｅｃｏｒｄｉｎｇ）モード」とは、映像作品を記録するためのフォーマットのことをいう。再生を目的としたＶｉｄｅｏモードに対してＶＲモードは録画可能なＤＶＤビデオデッキやＤＶＤビデオカメラでの使用に適した動画像のリアルタイム記録用として策定されたフォーマットである。プレイリスト機能などのさまざまな編集機能や記録機能を有している点に特徴がある。ＶＲモードで録画した場合は、録画／消去を繰り返すことができ、消去することにより録画可能な時間が回復する。ＶＲモードで録画したＤＶＤ−ＲＷディスクは、ＤＶＤプレーヤーの場合、ＤＶＤ−ＲＷ対応のもので再生できる。第一判断部の判断結果は、アクセス処理部に出力される。
【００４７】
（アクセス処理実行部）
「アクセス処理実行部」は、物理情報取得部で取得した物理情報と、第一判断部の判断結果に基づいて可搬型記録媒体に利用者によって記録された情報に対してアクセスするための処理を実行する。第一判断部の判断結果が、「ＤＶＤ−ＲＷのＶＲモードである」場合には、アクセス処理実行部は、ＤＶＤ−ＲＷのＶＲモードに固有のナビファイルの先頭アドレスにアクセスする。ここで「ナビファイル」とは、アプリケーション層に属するファイルのことをいい、タイトル情報などが含まれるファイルのことをいう。なお、ナビファイルの先頭アドレスは、最初に可搬型記録媒体の記録を行ったときに、固有識別情報と関連付けられて保持されてもよい。
図１７は、物理情報と関連付けられたナビファイルの先頭アドレスの一例を示す図である。例えば、図１７は、物理情報（種別、モード、バージョン、ファイナライズの有無）が、「ＤＶＤ−ＲＷ、ＶＲ、１．０、未」、「ＤＶＤ−Ｒ、−、−、未」、「ＤＶＤ−ＲＷ、Ｖｉｄｅｏ、１．１、済」、「ＤＶＤ−ＲＷ、ＶＲ、２．０、済」であれば、それぞれのナビファイルの先頭アドレスが「０００３  ００００」、「０００４  ００００」、「００１０  ００００」、「００２６  ００００」となることを示している。
【００４８】
<実施形態４の処理の流れ>
以下に本実施形態の処理の流れを説明する。
図１８は、本実施形態の処理の流れを示す図である。
まず種別識別情報取得ステップは、再生のための仕様が共通である可搬型記録媒体の種別を識別するための種別識別情報を取得する（ステップＳ１８０１）。次に再生開始動作実行ステップは、種別識別情報取得ステップで取得した種別識別情報で識別される種別の可搬型記録媒体に応じた再生開始動作を実行する（ステップＳ１８０２）。次に固有識別情報取得ステップは、再生開始動作の実行に基づいて可搬型記録媒体から媒体固有の固有識別情報を取得する（ステップＳ１８０３）。次に物理情報取得ステップは、固有識別情報取得ステップで取得した固有識別情報に応じて物理情報保持部から物理情報を取得する（ステップＳ１８０４）。次に、第一判断ステップは、物理情報取得ステップで取得した物理情報に基づいてＤＶＤが、ＤＶＤ−ＲＷのＶＲモードであるか判断する（ステップＳ１８０５）。次に、第一判断ステップでの判断結果が、「ＤＶＤが、ＤＶＤ−ＲＷのＶＲモードである」場合には、アクセス処理実行ステップは、ナビファイルの先頭アドレスにアクセスする（ステップＳ１８０６）。第一判断ステップでの判断結果が、「ＤＶＤが、ＤＶＤ−ＲＷのＶＲモードでない」場合には、アクセス処理実行ステップは、物理情報取得ステップで取得した物理情報に基づいて可搬型記録媒体に利用者によって記録された情報に対してアクセスするための処理（ＤＶＤ−ＲＷのＶｉｄｅｏモード、あるいはＤＶＤ−Ｒに対する処理）を実行する（ステップＳ１８０７）。
【００４９】
（実施形態４の実施例）
以下に、本実施形態の実施例について説明する。
図１９は、本実施例の具体的機能ブロックの一例を示す図である。情報記録再生装置１９００は、種別識別情報取得部１９０１と、再生開始動作実行部１９０２と、固有識別情報取得部１９０３と、物理情報保持部１９０４と、物理情報取得部１９０５と、アクセス処理実行部１９０６と、第一判断部１９０７と、からなる。
また図２０は、本実施例の具体的処理の流れを示す図である。以下本実施例について図１９、図２０を用いて説明する。
まず利用者が再生する可搬型記録媒体の種別が「ＤＶＤ−Ｒ／ＲＷ」である旨を種別識別情報取得部に入力することにより、種別識別情報取得ステップは種別識別情報（種別「ＤＶＤ−Ｒ／ＲＷ」）を取得する（ステップ２００１）。次に利用者は、当該可搬型記録媒体（ＤＶＤ−ＲＷのＶＲモード）を情報記録再生装置に挿入する。再生開始動作実行ステップは、可搬型記録媒体の種別「ＤＶＤ−Ｒ／ＲＷ」に応じた再生開始動作を実行する（ステップＳ２００２）。次に固有識別情報取得ステップは、固有識別情報「００００  ０００１」を取得する（ステップＳ２００３）。次に物理情報取得ステップは、固有識別情報取得ステップが取得した固有識別情報「００００  ０００１」と関連付けられた物理情報（種別、モード、バージョン、ファイナライズの有無）「ＤＶＤ−ＲＷ、ＶＲ、１．０、未」を物理情報保持部より取得する（ステップＳ２００４）。次に、第一判断ステップは、物理情報取得ステップで取得した物理情報に基づいてＤＶＤが、ＤＶＤ−ＲＷのＶＲモードであるか判断する（ステップＳ２００５）。次に、第一判断ステップでの判断結果が、「ＤＶＤが、ＤＶＤ−ＲＷのＶＲモードである」ので、アクセス処理実行ステップは、ナビファイルの先頭アドレスにアクセスする（ステップＳ２００６）。第一判断ステップでの判断結果が、「ＤＶＤが、ＤＶＤ−ＲＷのＶＲモードでない」場合には、アクセス処理実行ステップは、物理情報取得ステップで取得した物理情報に基づいて可搬型記録媒体に利用者によって記録された情報に対してアクセスするための処理（ＤＶＤ−ＲＷのＶｉｄｅｏモード、あるいはＤＶＤ−Ｒに対する処理）を実行する（本実施例ではこの処理は行われない）（ステップＳ２００７）。
【００５０】
<実施形態４の効果の簡単な説明>
本実施形態の情報記録再生装置によれば、物理情報取得部で取得した物理情報に基づいてＤＶＤが、ＤＶＤ−ＲＷのＶＲモードであるか判断する第一判断部を有する。したがって、ＤＶＤがＤＶＤ−ＲＷのＶＲモードであれば、物理情報と、物理情報に関連付けられたナビファイルの先頭アドレスを高速に読み出すことができる。このため、可搬型記録媒体からの「物理情報読み込み処理」、「ファイルシステム情報の読み込み処理」を実行することなく、タイトル情報が含まれるナビファイルの先頭アドレスを読み出すことができるので、タイトル情報を高速に読み出すことができる。
【００５１】
<<実施形態５>>
以下に実施形態５について説明する。
【００５２】
<実施形態５の概念>
以下に本実施形態の概念について説明する。本実施形態は、物理情報取得部で取得した物理情報に基づいてＤＶＤが、ＤＶＤ−ＲＷのＶｉｄｅｏモードであって、ファイナライズ処理がされているか判断するための第二判断部を有する実施形態３に記載の情報記録再生装置に関する。本実施形態によれば、以下に述べるように、可搬型記録媒体の再生開始動作に際して、可搬型記録媒体が、ＤＶＤ−ＲＷのＶｉｄｅｏモードであって、ファイナライズ処理がされているか判断する点に特徴がある。以下に図を用いて簡単に説明する。
図２１は本実施形態の情報記録再生装置の概念の一例を示す図である。利用者は、可搬型記録媒体２１０１の再生に際して、まず情報記録再生装置２１００に対して「おこのみメディア」である旨の入力をする（ステップ１）。ここで「おこのみメディア」とは、情報記録再生装置に固有識別情報と物理情報が登録された可搬型記録媒体のことをいう。次に、利用者は、再生する可搬型記録媒体を情報記録再生装置に挿入する（ステップ２）。次に、情報記録再生装置は、可搬型記録媒体から固有識別情報（Ｕｎｉｑｕｅ  Ｄｉｓｃ  ＩＤともいう、例えば、００００  ０００３）を読み出す（ステップ３）。次に、情報記録再生装置は、自身が保持している固有識別情報と関連付けられた物理情報を検索する（ステップ４）。次に、情報記録再生装置は、可搬型記録媒体から固有識別情報（００００  ０００３）と一致する固有識別情報と関連付けられた物理情報（ディスク種別、モード、バージョン、ファイナライズの有無）「ＤＶＤ−ＲＷ、Ｖｉｄｅｏ、２．０、未」を取得する（ステップ５）。次に、情報記録再生装置は、取得した物理情報「ＤＶＤ−ＲＷ、Ｖｉｄｅｏ、２．０、未」から、Ｖｉｄｅｏモードであると判断してＴＭＰＶＭＧＩ（後述する）を読み込むことにより、ナビファイルの先頭アドレス「００２０  ００００」にアクセスする。
【００５３】
<構成要件の明示>
以下に本実施形態の構成要件を明示する。
図２２は、本実施形態の機能ブロックの一例を示す図である。情報記録再生装置２２００は、種別識別情報取得部２２０１と、再生開始動作実行部２２０２と、固有識別情報取得部２２０３と、物理情報保持部２２０４と、物理情報取得部２２０５と、アクセス処理実行部２２０６と、第二判断部２２０７と、からなる。
【００５４】
<構成要件の説明>
以下に、本実施形態の構成要件の説明をする。
【００５５】
（種別識別情報取得部）、（再生開始動作実行部）、（固有識別情報取得部）、（物理情報保持部）、（物理情報取得部）
種別識別情報取得部、再生開始動作実行部、固有識別情報取得部、物理情報保持部、物理情報取得部については、実施形態３と同様なので説明を省略する。
【００５６】
（第二判断部）
「第二判断部」は、物理情報取得部で取得した物理情報に基づいてＤＶＤが、ＤＶＤ−ＲＷのＶｉｄｅｏモードであって、ファイナライズ処理がされているか判断する。この判断は、取得した物理情報のモードの種類、ファイナライズの有無に従う。ここで「ＤＶＤが、ＤＶＤ−ＲＷのＶｉｄｅｏモードであって、ファイナライズ処理がされている」とは、ＤＶＤが、「ＤＶＤ−ＲＷのＶｉｄｅｏモードであり」、かつ「ファイナライズ処理がされている」ことをいう。また「Ｖｉｄｅｏモード」とは、映像作品を記録するためのフォーマットのことをいう。画像の圧縮方式には、高画質なＭＰＥＧ−２（Ｍｏｖｉｎｇ  Ｐｉｃｔｕｒｅ  Ｅｘｐｅｒｔ  Ｇｒｏｕｐ−２）方式が採用されている。音声方式は、リニアＰＣＭ（Ｐｕｌｓｅ  Ｃｏｄｅ  Ｍｏｄｕｌａｔｉｏｎ）オーディオに加えてＤｏｌｂｙ  ＡＣ−３（Ｄｏｌｂｙ  Ｄｉｇｉｔａｌ）などが採用されている。このため、高品位な映像クオリティと迫力のある音場再現が可能となる。Ｖｉｄｅｏモードは、ＤＶＤプレーヤーでの再生を目的としたフォーマットであるため、最大の特長は、既存のＤＶＤプレーヤーでの再生互換性が高いことである。画面の縦横比を選択できるマルチアスペクト、マルチ言語、マルチストーリー、マルチアングルなどインタラクティブな機能を実現している。第二判断部の判断結果は、アクセス処理部に出力される。
【００５７】
（アクセス処理実行部）
「アクセス処理実行部」は、物理情報取得部で取得した物理情報と、第二判断部の判断結果に基づいて可搬型記録媒体に利用者によって記録された情報に対してアクセスするための処理を実行する。第二判断部の判断結果が、「ＤＶＤ−ＲＷのＶｉｄｅｏモードで、ファイナライズが未である」場合には、ＤＶＤ−ＲＷのＶｉｄｅｏモードに固有のアドレスにアクセスする。ここでＶｉｄｅｏモードでは、「Ｖｉｄｅｏモードに固有のアドレス」とは、一例として、ＴＭＰＶＭＧＩ（Ｔｅｍｐｏｒａｒｙ  Ｖｉｄｅｏ  Ｍａｎａｇｅｒ  Ｉｎｆｏｒｍａｔｉｏｎ）の先頭アドレスのことをいうものとする。ここで「ＴＭＰＶＭＧＩ」とは、論理層に属するファイルであり、アプリケーション層のファイルであるナビファイルの先頭アドレスが含まれているファイルの一種のことをいう。この場合、ＴＭＰＶＭＧＩを読み込んでタイトル情報を得ることができる。この場合のＴＭＰＶＭＧＩが可搬型記録媒体上に書かれている位置は固定なので、そのデータを読み取ればよい。
なお、「ＤＶＤが、ＤＶＤ−ＲＷのＶｉｄｅｏモードであって、ファイナライズ処理がされている」場合でも可搬型記録媒体上に書かれているＴＭＰＶＭＧＩは消えないため、ファイナライズ処理がされていない場合と同様に固定位置のデータを読み取ればよい。
【００５８】
<実施形態５の処理の流れ>
以下に本実施形態の処理の流れを説明する。
図２３は、本実施形態の処理の流れを示す図である。
まず種別識別情報取得ステップは、再生のための仕様が共通である可搬型記録媒体の種別を識別するための種別識別情報を取得する（ステップＳ２３０１）。次に再生開始動作実行ステップは、種別識別情報取得ステップで取得した種別識別情報で識別される種別の可搬型記録媒体に応じた再生開始動作を実行する（ステップＳ２３０２）。次に固有識別情報取得ステップは、再生開始動作の実行に基づいて可搬型記録媒体から媒体固有の固有識別情報を取得する（ステップＳ２３０３）。次に物理情報取得ステップは、固有識別情報取得ステップで取得した固有識別情報に応じて物理情報保持部から物理情報を取得する（ステップＳ２３０４）。次に、第二判断ステップは、物理情報取得ステップで取得した物理情報に基づいてＤＶＤが、ＤＶＤ−ＲＷのＶｉｄｅｏモードであり、かつファイナライズ処理がされているか判断する（ステップＳ２３０５）。次に、第二判断ステップでの判断結果が、「ＤＶＤが、ＤＶＤ−ＲＷのＶｉｄｅｏモードであり、かつファイナライズ処理がされている」のでない場合には、アクセス処理実行ステップは、「ＤＶＤが、ＤＶＤ−ＲＷのＶｉｄｅｏモードであるか」判断する（ステップＳ２３０６）。次に、第二判断ステップでの判断結果が、「ＤＶＤが、ＤＶＤ−ＲＷのＶｉｄｅｏモードである」場合には、ＤＶＤ−ＲＷのＶｉｄｅｏモード（ファイナライズ未）のナビファイルの先頭アドレスにアクセスする（ステップＳ２３０７）。第二判断ステップでの判断結果が、「ＤＶＤが、ＤＶＤ−ＲＷのＶｉｄｅｏモードでない」場合には、アクセス処理実行ステップは、物理情報取得ステップで取得した物理情報に基づいて可搬型記録媒体に利用者によって記録された情報に対してアクセスするための処理（ＤＶＤ−ＲＷのＶＲモード、あるいはＤＶＤ−Ｒに対する処理）を実行する（ステップＳ２３０８）。第二判断ステップでの判断結果が、「ＤＶＤが、ＤＶＤ−ＲＷのＶｉｄｅｏモードであり、かつファイナライズ処理がされている」場合には、アクセス処理実行ステップは、物理情報取得ステップで取得した物理情報に基づいて可搬型記録媒体に利用者によって記録された情報に対してアクセスするための処理（ＤＶＤ−ＲＷのＶｉｄｅｏモード（ファイナライズ済）に対する処理）を実行する（ステップＳ２３０９）。
【００５９】
（実施形態５の実施例）
以下に、本実施形態の実施例について説明する。
図２４は、本実施例の具体的機能ブロックの一例を示す図である。情報記録再生装置２４００は、種別識別情報取得部２４０１と、再生開始動作実行部２４０２と、固有識別情報取得部２４０３と、物理情報保持部２４０４と、物理情報取得部２４０５と、アクセス処理実行部２４０６と、第二判断部２４０７と、からなる。
また図２５は、本実施例の具体的処理の流れを示す図である。以下本実施例について図２４、図２５を用いて説明する。
まず利用者が再生する可搬型記録媒体の種別が「ＤＶＤ−Ｒ／ＲＷ」である旨を種別識別情報取得部に入力することにより、種別識別情報取得ステップは種別識別情報（種別「ＤＶＤ−Ｒ／ＲＷ」）を取得する（ステップ２５０１）。次に利用者は、当該可搬型記録媒体（ＤＶＤ−ＲＷのＶｉｄｅｏモード）を情報記録再生装置に挿入する。再生開始動作実行ステップは、可搬型記録媒体の種別「ＤＶＤ−Ｒ／ＲＷ」に応じた再生開始動作を実行する（ステップＳ２５０２）。次に固有識別情報取得ステップは、固有識別情報「００００  ０００３」を取得する（ステップＳ２５０３）。次に物理情報取得ステップは、固有識別情報取得ステップが取得した固有識別情報「００００  ０００３」と関連付けられた物理情報（種別、モード、バージョン、ファイナライズの有無）「ＤＶＤ−ＲＷ、Ｖｉｄｅｏ、２．０、未」を物理情報保持部より取得する（ステップＳ２５０４）。次に、第二判断ステップは、物理情報取得ステップで取得した物理情報に基づいてＤＶＤが、ＤＶＤ−ＲＷのＶｉｄｅｏモードであり、かつファイナライズ処理がされているか判断する（ステップＳ２５０５）。次に、第二判断ステップでの判断結果が、「ＤＶＤが、ＤＶＤ−ＲＷのＶｉｄｅｏモードであり、かつファイナライズ処理がされている」のでない場合には、アクセス処理実行ステップは、「ＤＶＤが、ＤＶＤ−ＲＷのＶｉｄｅｏモードであるか」判断する（ステップＳ２５０６）。次に、第二判断ステップでの判断結果が、「ＤＶＤが、ＤＶＤ−ＲＷのＶｉｄｅｏモードである」場合には、アクセス処理実行ステップは、ＴＭＰＶＭＧＩの位置を取得し、ナビファイルの先頭アドレス「００２０  ００００」にアクセスする（ステップＳ２５０７）。第二判断ステップでの判断結果が、「ＤＶＤが、ＤＶＤ−ＲＷのＶｉｄｅｏモードでない」場合には、アクセス処理実行ステップは、物理情報取得ステップで取得した物理情報に基づいて可搬型記録媒体に利用者によって記録された情報に対してアクセスするための処理（ＤＶＤ−ＲＷのＶＲモード、あるいはＤＶＤ−Ｒに対する処理）を実行する（本実施例ではこの処理は行われない）（ステップＳ２５０８）。第二判断ステップでの判断結果が、「ＤＶＤが、ＤＶＤ−ＲＷのＶｉｄｅｏモードであり、かつファイナライズ処理がされている」場合には、アクセス処理実行ステップは、物理情報取得ステップで取得した物理情報に基づいて可搬型記録媒体に利用者によって記録された情報に対してアクセスするための処理（ＤＶＤ−ＲＷのＶｉｄｅｏモードのファイナライズ済に対する処理）を実行する（本実施例ではこの処理は行われない）（ステップＳ２５０９）。
【００６０】
<実施形態５の効果の簡単な説明>
本実施形態の情報記録再生装置によれば、物理情報取得部で取得した物理情報に基づいてＤＶＤが、ＤＶＤ−ＲＷのＶｉｄｅｏモードであって、ファイナライズ処理がされているか判断する第二判断部を有する。したがって、ＤＶＤが、ＤＶＤ−ＲＷのＶｉｄｅｏモードであれば、物理情報と、物理情報に関連付けられたＴＭＰＶＭＧＩの先頭アドレスを高速に読み出すことができる。したがって、ナビファイル（ＴＭＰＶＭＧＩにその先頭アドレスが含まれている）に含まれるタイトル情報を高速に読み出すことができる。
【００６１】
<<実施形態６>>
以下に実施形態６について説明する。
【００６２】
<実施形態６の概念>
以下に本実施形態の概念について説明する。本実施形態は、物理情報取得部で取得した物理情報に基づいてＤＶＤが、ＤＶＤ−Ｒであって、ファイナライズ処理がされているか判断するための第三判断部を有する実施形態３に記載の情報記録再生装置に関する。本実施形態によれば、以下に述べるように、可搬型記録媒体の再生開始動作に際して、可搬型記録媒体が、ＤＶＤ−Ｒであって、ファイナライズ処理がされているか判断する点に特徴がある。以下に図を用いて簡単に説明する。
図２６は本実施形態の情報記録再生装置の概念の一例を示す図である。利用者は、可搬型記録媒体２６０１の再生に際して、まず情報記録再生装置２６００に対して「おこのみメディア」である旨の入力をする（ステップ１）。ここで「おこのみメディア」とは、情報記録再生装置に固有識別情報と物理情報が登録された可搬型記録媒体のことをいう。次に、利用者は、再生する可搬型記録媒体を情報記録再生装置に挿入する（ステップ２）。次に、情報記録再生装置は、可搬型記録媒体から固有識別情報（Ｕｎｉｑｕｅ  Ｄｉｓｃ  ＩＤともいう、例えば、００００  ０００２）を読み出す（ステップ３）。次に、情報記録再生装置は、自身が保持している固有識別情報と関連付けられた物理情報を検索する（ステップ４）。次に、情報記録再生装置は、可搬型記録媒体から固有識別情報（００００  ０００２）と一致する固有識別情報と関連付けられた物理情報（ディスク種別、モード、バージョン、ファイナライズの有無）「ＤＶＤ−Ｒ、−、−、未」を取得する（ステップ５）。ここでモード、バージョンの「−、−」は、モード、バージョンには無関係であることを意味するものとする。次に、情報記録再生装置は、取得した物理情報「ＤＶＤ−Ｒ、−、−、未」から、ＤＶＤ−Ｒであってファイナライズ未であると判断してナビファイルの先頭アドレス「０００４  ００００」にアクセスする。
【００６３】
<構成要件の明示>
以下に本実施形態の構成要件を明示する。
図２７は、本実施形態の機能ブロックの一例を示す図である。情報記録再生装置２７００は、種別識別情報取得部２７０１と、再生開始動作実行部２７０２と、固有識別情報取得部２７０３と、物理情報保持部２７０４と、物理情報取得部２７０５と、アクセス処理実行部２７０６と、第三判断部２７０７と、からなる。
【００６４】
<構成要件の説明>
以下に、本実施形態の構成要件の説明をする。
【００６５】
（種別識別情報取得部）、（再生開始動作実行部）、（固有識別情報取得部）、（物理情報保持部）、（物理情報取得部）
種別識別情報取得部、再生開始動作実行部、固有識別情報取得部、物理情報保持部、物理情報取得部については、実施形態３と同様なので説明を省略する。
【００６６】
（第三判断部）
「第三判断部」は、物理情報取得部で取得した物理情報に基づいてＤＶＤが、ＤＶＤ−Ｒであって、ファイナライズ処理がされているか判断する。この判断は、取得した物理情報の種別識別情報、ファイナライズの有無に従う。ここで「ＤＶＤが、ＤＶＤ−Ｒであって、ファイナライズ処理がされている」とは、ＤＶＤが、「ＤＶＤ−Ｒであり」、かつ「ファイナライズ処理がされている」ことをいう。また「ＤＶＤ−Ｒ」は、高品質な映像を１度だけ書きこみが行える追記型ＤＶＤディスクである。ＤＶＤ−ＲＯＭやＤＶＤ−ＲＡＭなど他のＤＶＤ規格とも互換性があり、片面４．７ＧＢの記録が可能である。「ファイナライズ」することにより、他のＤＶＤプレーヤーでも再生できるようになるが、ファイナライズ後は録画や消去などの編集ができなくなるという特徴を有する。第三判断部の判断結果は、アクセス処理部に出力される。
【００６７】
（アクセス処理実行部）
「アクセス処理実行部」は、物理情報取得部で取得した物理情報と、第三判断部の判断結果に基づいて可搬型記録媒体に利用者によって記録された情報に対してアクセスするための処理を実行する。第三判断部の判断結果が、「ＤＶＤが、ＤＶＤ−Ｒであって、ファイナライズ処理が未」の場合には、ＤＶＤ−Ｒに固有のアドレスにアクセスする。ここでＤＶＤ−Ｒの場合には、「ＤＶＤ−Ｒに固有のアドレス」とは、ＲＭＤ（Ｒｅｃｏｒｄｉｎｇ  Ｍａｎａｇｅｍｅｎｔ  Ｄａｔａ）のＲＺｏｎｅ情報の格納されているアドレスのことをいう。既に読み込み済みの可搬型記録媒体のＲＭＤに書かれているＲＺｏｎｅ情報に基づき、ＴＭＰＶＭＧＩが可搬型記録媒体上に書かれている位置を取得してＴＭＰＶＭＧＩの読み込みを行う。これは、ＤＶＤ−Ｒの場合には、ＴＭＰＶＭＧＩが可搬型記録媒体上に書かれている位置が固定されていないためである。この処理を通常処理と比べると、物理情報の読み込み処理が不要である。
【００６８】
<実施形態６の処理の流れ>
以下に本実施形態の処理の流れを説明する。
図２８は、本実施形態の処理の流れを示す図である。
まず種別識別情報取得ステップは、再生のための仕様が共通である可搬型記録媒体の種別を識別するための種別識別情報を取得する（ステップＳ２８０１）。次に再生開始動作実行ステップは、種別識別情報取得ステップで取得した種別識別情報で識別される種別の可搬型記録媒体に応じた再生開始動作を実行する（ステップＳ２８０２）。次に固有識別情報取得ステップは、再生開始動作の実行に基づいて可搬型記録媒体から媒体固有の固有識別情報を取得する（ステップＳ２８０３）。次に物理情報取得ステップは、固有識別情報取得ステップで取得した固有識別情報に応じて物理情報保持部から物理情報を取得する（ステップＳ２８０４）。次に、第三判断ステップは、物理情報取得ステップで取得した物理情報に基づいてＤＶＤが、ＤＶＤ−Ｒであり、かつファイナライズ処理がされているか判断する（ステップＳ２８０５）。次に、第三判断ステップでの判断結果が、「ＤＶＤが、ＤＶＤ−Ｒであり、かつファイナライズ処理がされている」のでない場合には、アクセス処理実行ステップは、「ＤＶＤが、ＤＶＤ−Ｒであるか」判断する（ステップＳ２８０６）。次に、第三判断ステップでの判断結果が、「ＤＶＤが、ＤＶＤ−Ｒである」場合には、ＤＶＤ−Ｒ（ファイナライズ未）のナビファイルの先頭アドレスにアクセスする（ステップＳ２８０７）。第三判断ステップでの判断結果が、「ＤＶＤが、ＤＶＤ−Ｒでない」場合には、アクセス処理実行ステップは、物理情報取得ステップで取得した物理情報に基づいて可搬型記録媒体に利用者によって記録された情報に対してアクセスするための処理（ＤＶＤ−ＲＷのＶＲモード、あるいはＤＶＤ−ＲＷのＶｉｄｅｏモードに対する処理）を実行する（ステップＳ２８０８）。第三判断ステップでの判断結果が、「ＤＶＤが、ＤＶＤ−Ｒであり、かつファイナライズ処理がされている」場合には、アクセス処理実行ステップは、物理情報取得ステップで取得した物理情報に基づいて可搬型記録媒体に利用者によって記録された情報に対してアクセスするための処理（ＤＶＤ−Ｒ（ファイナライズ済）に対する処理）を実行する（ステップＳ２８０９）。
【００６９】
（実施形態６の実施例）
以下に、本実施形態の実施例について説明する。
図２９は、本実施例の具体的機能ブロックの一例を示す図である。情報記録再生装置２９００は、種別識別情報取得部２９０１と、再生開始動作実行部２９０２と、固有識別情報取得部２９０３と、物理情報保持部２９０４と、物理情報取得部２９０５と、アクセス処理実行部２９０６と、第三判断部２９０７と、からなる。
また図３０は、本実施例の具体的処理の流れを示す図である。以下本実施例について図２９、図３０を用いて説明する。
まず利用者が再生する可搬型記録媒体の種別が「ＤＶＤ−Ｒ／ＲＷ」である旨を種別識別情報取得部に入力することにより、種別識別情報取得ステップは種別識別情報（種別「ＤＶＤ−Ｒ／ＲＷ」）を取得する（ステップ３００１）。次に利用者は、当該可搬型記録媒体（ＤＶＤ−Ｒ）を情報記録再生装置に挿入する。再生開始動作実行ステップは、可搬型記録媒体の種別「ＤＶＤ−Ｒ／ＲＷ」に応じた再生開始動作を実行する（ステップＳ３００２）。次に固有識別情報取得ステップは、固有識別情報「００００  ０００２」を取得する（ステップＳ３００３）。次に物理情報取得ステップは、固有識別情報取得ステップが取得した固有識別情報「００００  ０００２」と関連付けられた物理情報（種別、モード、バージョン、ファイナライズの有無）「ＤＶＤ−Ｒ、−、−、未」を物理情報保持部より取得する（ステップＳ３００４）。次に、第三判断ステップは、物理情報取得ステップで取得した物理情報に基づいてＤＶＤが、ＤＶＤ−Ｒであり、かつファイナライズ処理がされているか判断する（ステップＳ３００５）。次に、第三判断ステップでの判断結果が、「ＤＶＤが、ＤＶＤ−Ｒであり、かつファイナライズ処理がされている」のでない場合には、アクセス処理実行ステップは、「ＤＶＤが、ＤＶＤ−Ｒであるか」判断する（ステップＳ３００６）。次に、第三判断ステップでの判断結果が、「ＤＶＤが、ＤＶＤ−Ｒである」場合には、アクセス処理実行ステップは、ＲＭＤのＲＺｏｎｅ情報の格納されているアドレスにアクセスして、ＴＭＰＶＭＧＩの位置を取得することにより、ナビファイルの先頭アドレス「０００４  ００００」にアクセスする（ステップＳ３００７）。第三判断ステップでの判断結果が、「ＤＶＤが、ＤＶＤ−Ｒでない」場合には、アクセス処理実行ステップは、物理情報取得ステップで取得した物理情報に基づいて可搬型記録媒体に利用者によって記録された情報に対してアクセスするための処理（ＤＶＤ−ＲＷのＶＲモード、あるいはＤＶＤ−ＲＷのＶｉｄｅｏモードに対する処理）を実行する（本実施例ではこの処理は行われない）（ステップＳ３００８）。第三判断ステップでの判断結果が、「ＤＶＤが、ＤＶＤ−Ｒであり、かつファイナライズ処理がされている」場合には、アクセス処理実行ステップは、物理情報取得ステップで取得した物理情報に基づいて可搬型記録媒体に利用者によって記録された情報に対してアクセスするための処理（ＤＶＤ−Ｒのファイナライズ済に対する処理）を実行する（本実施例ではこの処理は行われない）（ステップＳ３００９）。
【００７０】
<実施形態６の効果の簡単な説明>
本実施形態の情報記録再生装置によれば、物理情報取得部で取得した物理情報に基づいてＤＶＤが、ＤＶＤ−Ｒであって、ファイナライズ処理がされているか判断する第三判断部を有する。したがって、ＤＶＤが、ＤＶＤ−Ｒであって、ファイナライズ処理がされていなければ、ＲＭＤのＲＺｏｎｅ情報の格納されているアドレスにアクセスすることによりＴＭＰＶＭＧＩの位置を取得することができる。したがって、ナビファイルの先頭アドレスを読み出すことにより、タイトル情報を高速に読み出すことができる。
【００７１】
<<実施形態７>>
以下に実施形態７について説明する。
【００７２】
<実施形態７の概念>
以下に本実施形態の概念について説明する。本実施形態は、固有識別情報の取得が不可能である場合には、種別識別情報で識別される可搬型記録媒体の種別と、再生開始動作実行部が再生開始動作を実行した対象となる可搬型記録媒体の種別とが不一致であることを前提とした処理を実行することを特徴とする。
【００７３】
<構成要件の明示>
以下に本実施形態の構成要件を明示する。
図３１は、本実施形態の機能ブロックの一例を示す図である。情報記録再生装置３１００は、種別識別情報取得部３１０１と、再生開始動作実行部３１０２と、固有識別情報取得部３１０３と、物理情報保持部３１０４と、物理情報取得部３１０５と、取得可能判断部３１０６と、不一致処理実行部３１０７と、からなる。
【００７４】
<構成要件の説明>
以下に、本実施形態の構成要件の説明をする。
【００７５】
（種別識別情報取得部）、（再生開始動作実行部）、（固有識別情報取得部）、（物理情報保持部）、（物理情報取得部）
種別識別情報取得部、再生開始動作実行部、固有識別情報取得部、物理情報保持部、物理情報取得部については、実施形態１から６のいずれか一と同様なので説明を省略する。
【００７６】
（取得可能判断部）
「取得可能判断部」は、固有識別情報取得部での固有識別情報の取得が不可能であるか判断する。この判断は、一例として、再生開始動作実行部の読取動作によって読み出されたデータの有効性に従う。例えば、取得可能判断部は、再生開始動作実行部が読取動作によってデータを読み出すことができない場合や、読み出されたデータが無意味なデータである場合には、固有識別情報の取得が不可能であると判断する。取得可能判断部での判断結果は、不一致処理実行部に出力される。
【００７７】
（不一致処理実行部）
「不一致処理実行部」は、取得可能判断部での判断結果が取得不可能であるとの判断結果である場合には、種別識別情報取得部で取得した種別識別情報で識別される可搬型記録媒体の種別と、再生開始動作実行部が再生開始動作を実行した対象となる可搬型記録媒体の種別とが不一致であることを前提とした処理を実行する。ここで「不一致であることを前提とした処理」には、一例として、以下のような処理が挙げられる。第一には、利用者に対して、挿入した可搬型記録媒体の種別が誤りである旨のエラーメッセージを表示する処理が挙げられる。第二には、ディスクトレーが複数ディスクを挿入可能であって、総当りでディスクに読込みトライをする処理が挙げられる。
【００７８】
<実施形態７の処理の流れ>
以下に本実施形態の処理の流れを説明する。
図３２は、本実施形態の処理の流れを示す図である。
まず種別識別情報取得ステップは、再生のための仕様が共通である可搬型記録媒体の種別を識別するための種別識別情報を取得する（ステップＳ３２０１）。次に再生開始動作実行ステップは、種別識別情報取得ステップで取得した種別識別情報で識別される種別の可搬型記録媒体に応じた再生開始動作を実行する（ステップＳ３２０２）。次に取得可能判断ステップは、固有識別情報取得ステップでの固有識別情報の取得が不可能であるか判断する（ステップＳ３２０３）。次に不一致処理実行ステップは、取得可能判断ステップでの判断結果が取得不可能であるとの判断結果である場合には、種別識別情報取得ステップで取得した種別識別情報で識別される可搬型記録媒体の種別と、再生開始動作実行部が再生開始動作を実行した対象となる可搬型記録媒体の種別とが不一致であることを前提とした処理を実行する（ステップＳ３２０４）。次に取得可能判断ステップでの判断結果が取得不可能でないとの判断結果である場合には、固有識別情報取得ステップは、再生開始動作の実行に基づいて可搬型記録媒体から媒体固有の固有識別情報を取得する（ステップＳ３２０５）。次に物理情報取得ステップは、固有識別情報取得ステップで取得した固有識別情報に応じて物理情報保持部から物理情報を取得する（ステップＳ３２０６）。
【００７９】
（実施形態７の実施例）
以下に、本実施形態の実施例について説明する。
図３３は、本実施例の具体的機能ブロックの一例を示す図である。情報記録再生装置３３００は、種別識別情報取得部３３０１と、再生開始動作実行部３３０２と、固有識別情報取得部３３０３と、物理情報保持部３３０４と、物理情報取得部３３０５と、取得可能判断部３３０６と、不一致処理実行部３３０７と、からなる。
また図３４は、本実施例の具体的処理の流れを示す図である。以下本実施例について図３３、図３４を用いて説明する。
まず利用者が再生する可搬型記録媒体の種別が「ＤＶＤ−Ｒ／ＲＷ」である旨を種別識別情報取得部に入力することにより、種別識別情報取得部は種別識別情報（種別「ＤＶＤ−Ｒ／ＲＷ」）を取得する（ステップ３４０１）。次に利用者は、当該可搬型記録媒体（ＣＤ−ＲＯＭ）を情報記録再生装置に挿入する。再生開始動作実行部は、可搬型記録媒体の種別「ＤＶＤ−Ｒ／ＲＷ」に応じた再生開始動作を実行する（ステップＳ３４０２）。次に取得可能判断ステップは、固有識別情報取得ステップでの固有識別情報の取得が不可能であるか判断する（ステップＳ３４０３）。次に不一致処理実行ステップは、取得可能判断ステップでの判断結果が取得不可能であるとの判断結果であるので（挿入された可搬型記録媒体の種別がＣＤ−ＲＯＭであるため）、「<エラーメッセージ>エラーが発生しました。ディスクの種別が不一致です！」を出力する（ステップＳ３４０４）。次に取得可能判断ステップでの判断結果が取得不可能でないとの判断結果である場合には（本実施例では以下の処理は行われない）、固有識別情報取得ステップは、再生開始動作の実行に基づいて可搬型記録媒体から媒体固有の固有識別情報を取得する（ステップＳ３４０５）。次に物理情報取得ステップは、固有識別情報取得ステップで取得した固有識別情報に応じて物理情報保持部から物理情報を取得する（ステップＳ３４０６）。
【００８０】
<実施形態７の効果の簡単な説明>
本実施形態の情報記録再生装置によれば、入力した可搬型記録媒体の種別と実際に挿入した可搬型記録媒体の種別が不一致の場合には、エラーメッセージを出力することができる。したがって、利用者は、エラーメッセージにしたがって適切な対処をとることが可能となる。
【００８１】
<<実施形態８>>
以下に実施形態８について説明する。
【００８２】
<実施形態８の概念>
以下に本実施形態の概念について説明する。本実施形態は、可搬型記録媒体の固有識別情報と、その可搬型記録媒体の物理情報とを関連付けて取得して登録することができることを特徴とする実施形態１から７のいずれか一に記載の情報記録再生装置に関する。
【００８３】
<構成要件の明示>
以下に本実施形態の構成要件を明示する。
図３５は、本実施形態の機能ブロックの一例を示す図である。情報記録再生装置３５００は、種別識別情報取得部３５０１と、再生開始動作実行部３５０２と、固有識別情報取得部３５０３と、物理情報保持部３５０４と、物理情報取得部３５０５と、挿入部３５０６と、再生トライ部３５０７と、物理情報登録部３６０８と、からなる。
【００８４】
<構成要件の説明>
以下に、本実施形態の構成要件の説明をする。
【００８５】
（種別識別情報取得部）、（再生開始動作実行部）、（固有識別情報取得部）、（物理情報保持部）、（物理情報取得部）
種別識別情報取得部、再生開始動作実行部、固有識別情報取得部、物理情報保持部、物理情報取得部については、実施形態１から７のいずれか一と同様なので説明を省略する。
【００８６】
（挿入部）
「挿入部」には、可搬型記録媒体が挿入される。挿入部には、一例として、可動式のディスクトレーが飛び出してくるタイプ、ディスクトレーは固定式で、可搬型記録媒体を押し込むタイプのものが挙げられる。
【００８７】
（再生トライ部）
「再生トライ部」は、挿入部に挿入された可搬型記録媒体に対して、複数の異なる仕様に応じた再生開始動作を試みる。ここで「再生開始動作」には、一例として、ＤＶＤ−Ｒ、ＤＶＤ−ＲＷのＶＲモード、ＤＶＤ−ＲＷのＶｉｄｅｏモードに対する処理を順番に行う再生開始動作が挙げられる。再生開始動作の結果、該当する仕様であると判断した場合には、後の仕様に対する再生開始動作は行わない。例えば、挿入された可搬型記録媒体がＤＶＤ−ＲＷのＶＲモードである場合には、まずＤＶＤ−Ｒに対する再生開始動作を行い、種別が不一致であるので次のＤＶＤ−ＲＷのＶＲモードに対する再生開始動作を行う。その結果、種別が一致したと判断すれば、次のＤＶＤ−ＲＷのＶｉｄｅｏモードに対する処理は行わない。この場合には、ＤＶＤ−ＲＷのＶＲモードの固有識別情報の取得に引き続いて、物理情報の取得動作を行う。取得した固有識別情報と物理情報は、物理情報登録部に出力される。
【００８８】
（物理情報登録部）
「物理情報登録部」は、再生トライ部での再生開始動作によって可搬型記録媒体の固有識別情報と、その可搬型記録媒体の物理情報とを関連付けて取得して物理情報保持部に対して登録する。例えば、再生トライ部での再生開始動作によって取得した可搬型記録媒体の固有識別情報が「００００  ０００１」で、物理情報（種別、モード、バージョン、ファイナライズの有無）が、「ＤＶＤ−ＲＷ、ＶＲ、１．０、未」の場合には、固有識別情報と物理情報とを関連付けて物理情報保持部に登録する。
図３６は、固有識別情報と物理情報とを関連付けて物理情報保持部に登録する概念の一例を示すための図である。情報記録再生装置３６００の挿入部３６０１に「ＤＶＤ−ＲＷ」が挿入されたものとしている。挿入された可搬型記録媒体がＤＶＤ−ＲＷのＶＲモードである場合を考える。再生トライ部３６０２は、まず１．ＤＶＤ−Ｒに対する再生開始動作を行い、種別が不一致であるので次の２．ＤＶＤ−ＲＷのＶＲモードに対する再生開始動作を行う。その結果、種別が一致したと判断すれば、次の３．ＤＶＤ−ＲＷのＶｉｄｅｏモードに対する処理は行わない。この場合には、ＤＶＤ−ＲＷのＶＲモードの固有識別情報の取得に引き続いて、物理情報の取得動作を行う。取得された固有識別情報「００００  ０００１」と、物理情報（種別、モード、バージョン、ファイナライズの有無）「ＤＶＤ−ＲＷ、ＶＲ、１．０、未」は、物理情報登録部３６０３によって、物理情報保持部３６０４に、関連付けられて登録、保持される。
【００８９】
<実施形態８の処理の流れ>
以下に本実施形態の処理の流れを説明する。
図３７は、本実施形態の処理の流れを示す図である。
（物理情報登録）
まず挿入ステップにおいて、可搬型記録媒体が挿入される（ステップＳ３７０５）。次に再生トライステップは、挿入ステップで挿入された可搬型記録媒体に対して、複数の異なる仕様に応じた再生開始動作を試みる（ステップＳ３７０６）。次に物理情報登録ステップは、再生トライステップでの再生開始動作によって可搬型記録媒体の固有識別情報と、その可搬型記録媒体の物理情報とを関連付けて取得して物理情報保持部に対して登録する（ステップＳ３７０７）。
（物理情報読出）
まず種別識別情報取得ステップは、再生のための仕様が共通である可搬型記録媒体の種別を識別するための種別識別情報を取得する（ステップＳ３７０１）。次に再生開始動作実行ステップは、種別識別情報取得ステップで取得した種別識別情報で識別される種別の可搬型記録媒体に応じた再生開始動作を実行する（ステップＳ３７０２）。次に固有識別情報取得ステップは、再生開始動作の実行に基づいて可搬型記録媒体から媒体固有の固有識別情報を取得する（ステップＳ３７０３）。次に物理情報取得ステップは、固有識別情報取得ステップで取得した固有識別情報に応じて、物理情報保持部から物理情報登録ステップにて登録された物理情報を取得する（ステップＳ３７０４）。
【００９０】
（実施形態８の実施例）
以下に、本実施形態の実施例について説明する。
図３８は、本実施例の具体的機能ブロックの一例を示す図である。情報記録再生装置（ＨＤＤ一体型ＤＶＤレコーダ）３８００は、種別識別情報取得部３８０１と、再生開始動作実行部３８０２と、固有識別情報取得部３８０３と、物理情報保持部３８０４と、物理情報取得部３８０５と、アクセス処理実行部３８０６と、第一判断部３８０７と、第二判断部３８０８と、第三判断部３８０９と、挿入部３８１０と、再生トライ部３８１１と、物理情報登録部３８１２と、ホスト処理部３８１３と、ＤＶＤドライブ処理部３８１４と、ＡＴＡＰＩ（ＡＴ  Ａｔｔａｃｈｍｅｎｔ  Ｐａｃｋｅｔ  Ｉｎｔｅｒｆａｃｅ、図の太線部分）３８１７と、からなる。また物理情報保持部は、ＨＤＤ３８１５を有する。再生開始動作実行部は、サーボ３８１６を有する。
【００９１】
図３８に示すＨＤＤ（Ｈａｒｄ  Ｄｉｓｃ  Ｄｒｉｖｅ）一体型ＤＶＤレコーダ（ＤＶＤ−Ｒメディア及びＤＶＤ−ＲＷメディアへの記録が可能）の場合について、本実施例を説明する。ＨＤＤ一体型ＤＶＤレコーダで利用者が頻繁に使用する可搬型記録媒体（ＤＶＤ−ＲまたはＤＶＤ−ＲＷ）に少なくとも１タイトル記録した後、ＨＤＤ一体型ＤＶＤレコーダのＧＵＩ(Ｇｒａｐｈｉｃａｌ  Ｕｓｅｒ  Ｉｎｔｅｒｆａｃｅ)操作によって「おこのみメディア登録画面」を表示する。
【００９２】
（物理情報登録）
図３９は、可搬型記録媒体がＤＶＤ−ＲＷである場合の「おこのみメディア登録画面」の一例である（ＤＶＤ−Ｒの場合も似たような画面で実現可能）。次に、利用者は、ＧＵＩ操作で「新しいメディア」の項目を選択することで登録作業を行う。この作業により、現在ＨＤＤ一体型ＤＶＤレコーダの挿入部に挿入されている可搬型記録媒体が「おこのみメディア」として登録される。ここで「頻繁に使用する」と記述しているのは、例えばＤＶＤ−ＲＷメディアであれば「見たらすぐ消して何度も使う」、ＤＶＤ−Ｒメディアであれば「保存したい連続ドラマを続けて録画する」、というような使い方を想定している。なおＤＶＤ−Ｒメディアの場合、ファイナライズしていないメディアのみ登録対象とする。何故ならば、周知のように一度ファイナライズを行ったＤＶＤ−Ｒメディアはファイナライズの解除ができないので追記が出来ず、再生のみ可能なメディアであるため、本発明による改善効果が期待できないからである。この登録処理ではＨＤＤ一体型ＤＶＤレコーダ内に具備された物理情報登録部が作動し、ＨＤＤ一体型ＤＶＤレコーダ内に具備されたＨＤＤに以下の情報を記録する。
［１］可搬型記録媒体の  "Ｕｎｉｑｕｅ  Ｄｉｓｃ  ＩＤ"（固有識別情報）
［２］可搬型記録媒体の種類（ＤＶＤ−ＲＷかＤＶＤ−Ｒか）
［３］可搬型記録媒体がＤＶＤ−ＲＷならばＶＲモードかＶｉｄｅｏモードか
［４］可搬型記録媒体がＤＶＤ−ＲＷならばバージョンの値：ｖｅｒ１．０／１．１／
２．０等
［５］可搬型記録媒体がファイナライズ済みか否か
図４０は、登録内容の一例を示すイメージ図である。
【００９３】
（物理情報読出）
さて、このように「おこのみメディア」登録を行った後、可搬型記録媒体をＨＤＤ一体型ＤＶＤレコーダから取り出し、別のディスクで記録あるいは再生などを行う。次に利用者が「おこのみメディア」登録を行った可搬型記録媒体を使用したい場合は、ＨＤＤ一体型ＤＶＤレコーダのリモコン操作でメニュー画面を開き、ＧＵＩ操作によって「おこのみメディア」項目を選択する。
図４１は、メニュー画面の一例を示す図である。「おこのみメディア」項目を選択するとトレイが開くので（種別識別情報取得部が種別識別情報「ＤＶＤ−Ｒ／ＲＷ」を取得）、「おこのみメディア」登録した可搬型記録媒体を挿入する。可搬型記録媒体を挿入すると、ホスト処理部からＡＴＡＰＩ経由でＶｅｎｄｏｒ  ＵｎｉｑｕｅなＬｏａｄ&Ｓｔａｒｔコマンド（その１）がＤＶＤドライブ処理部に送られてくる。このＶｅｎｄｏｒ  ＵｎｉｑｕｅなＬｏａｄ&Ｓｔａｒｔコマンド（その１）により「挿入された可搬型記録媒体はＤＶＤ−ＲＷかＤＶＤ−Ｒのいずれかである。」という旨を連絡してくるので、ＤＶＤドライブ処理部は挿入された可搬型記録媒体を「ＤＶＤ−ＲＷかＤＶＤ−Ｒ」に設定して再生開始動作実行部のサーボの立ち上げ処理を行う。すなわち、ＤＶＤドライブ処理部は挿入された可搬型記録媒体に対する自動判別処理（可搬型記録媒体の種類を判別する処理）を行う必要がない。再生開始動作実行部は、引き続き可搬型記録媒体に記録されているＲＭＤのリード処理を行い、固有識別情報取得部は、ＲＭＤより"Ｕｎｉｑｕｅ  Ｄｉｓｃ  ＩＤ"を取得する。固有識別情報取得部は、ＲＭＤより取得した  "Ｕｎｉｑｕｅ  Ｄｉｓｃ  ＩＤ"  を物理情報取得部に出力する。そして物理情報取得部は、この値を物理情報保持部に「おこのみメディア」登録されている全ての  "Ｕｎｉｑｕｅ  Ｄｉｓｃ  ＩＤ"と比較する。一致する  "Ｕｎｉｑｕｅ  Ｄｉｓｃ  ＩＤ"が存在する場合は、物理情報取得部は、当該  "Ｕｎｉｑｕｅ  Ｄｉｓｃ  ＩＤ"に対応する上記［２］〜［５］の物理情報を、ＡＴＡＰＩ経由でＶｅｎｄｏｒ  ＵｎｉｑｕｅなＬｏａｄ&Ｓｔａｒｔコマンド（その２）によって第一判断部、第二判断部、第三判断部に連絡する。すると、第一判断部、第二判断部、第三判断部は連絡された条件を次のように４種類に分類し、各条件に対応する処理を行う。
【００９４】
（１）ＤＶＤ−ＲＷのＶＲモード（ファイナライズ済みか否かに関係なく）の場合
可搬型記録媒体上にナビファイルが書かれている位置は情報記録再生装置の構成によって基本的には決められているため、アクセス処理実行部は、第一判断部の判断結果にしたがって、その位置のデータを読み取り、ナビファイルと確認できたら、その情報をホスト処理部に報告する。この処理を通常処理と比べると、物理情報とファイルシステムの読み込み処理が不要である。
【００９５】
（２）ＤＶＤ−ＲＷのＶｉｄｅｏモードで、ファイナライズしていない場合
ファイルシステムが存在しないため、可搬型記録媒体上に書かれているＴＭＰＶＭＧＩを読み込んでタイトル情報を得る。この場合のＴＭＰＶＭＧＩが可搬型記録媒体上に書かれている位置は固定なので、アクセス処理実行部は、第二判断部の判断結果にしたがって、そのデータを読み取ればよい。この処理を通常処理と比べると、物理情報の読み込み処理が不要である。ただし、ｖｅｒ２．０  の場合「固定アドレスのＴＭＰＶＭＧＩを書き潰した場合は移動する。ＴＭＰＶＭＧＩのバックアップも固定アドレスに書く」という項目が追加されたため、固定アドレスのデータが読めない場合は通常の読み込み処理を行うことになる。
【００９６】
（３）ＤＶＤ−ＲＷのＶｉｄｅｏモードで、ファイナライズ済みの場合
ファイナライズされていても可搬型記録媒体上に書かれているＴＭＰＶＭＧＩは消えないため、上記（２）と同様に、アクセス処理実行部は、第二判断部の判断結果にしたがって、固定位置のデータを読み取ればよい。この処理を通常処理と比べると、物理情報とファイルシステムの読み込み処理が不要である。
【００９７】
（４）ＤＶＤ−Ｒで、ファイナライズしていない場合
既に読み込み済みの可搬型記録媒体上のＲＭＤに書かれているＲＺｏｎｅ情報に基づき、アクセス処理実行部は、第三判断部の判断結果にしたがって、ＴＭＰＶＭＧＩが可搬型記録媒体上に書かれている位置を取得してＴＭＰＶＭＧＩの読み込みを行う。この処理を通常処理と比べると、物理情報の読み込み処理が不要である。
アクセス処理実行部は、上記のような手順で入手した可搬型記録媒体上に書かれているナビファイル情報をＡＴＡＰＩ経由でホスト処理部に報告する。ホスト処理部は、このように入手した情報に基づき、ＨＤＤ一体型ＤＶＤレコーダに接続されたＴＶの画面に可搬型記録媒体内部のタイトル情報を表示する。
なお、上記の説明で図３９のような登録画面を使う方法を記載しているが、これは一例であり、何ら登録作業を制限するものではない。また図４１では「おこのみメニュー」という項目に「おこのみメディア」と「おこのみ番組」という選択項目がある状態を示しているが、これも一例であり、何ら選択作業を制限するものではない。
【００９８】
<実施形態８の効果の簡単な説明>
本実施形態の情報記録再生装置によれば、可搬型記録媒体の固有識別情報と、その可搬型記録媒体の物理情報とを関連付けて取得して登録することができる。また、ファイルシステムの読み込み処理を行うことなく、タイトル情報を高速に読み込むことができる。
【産業上の利用可能性】
【００９９】
本発明は、記録・再生が可能な可搬型記録媒体に記録されている内容を再生するまでの処理を高速化することができる情報記録再生装置に利用可能である。
【図面の簡単な説明】
【０１００】
【図１】実施形態１の概念図
【図２】実施形態１の機能ブロック図
【図３】実施形態１の再生開始動作実行部の説明図
【図４】実施形態１の物理情報保持部の説明図
【図５】実施形態１の処理の流れ図
【図６】実施形態１の実施例の具体的機能ブロック図
【図７】実施形態１の実施例の具体的処理の流れ図
【図８】実施形態２の概念図
【図９】実施形態２の機能ブロック図
【図１０】実施形態２のアクセス処理実行部の説明図
【図１１】実施形態２の処理の流れ図
【図１２】実施形態２の実施例の具体的機能ブロック図
【図１３】実施形態２の実施例の具体的処理の流れ図
【図１４】実施形態３のＤＶＤの説明図
【図１５】実施形態４の概念図
【図１６】実施形態４の機能ブロック図
【図１７】実施形態４の第一判断部の説明図
【図１８】実施形態４の処理の流れ図
【図１９】実施形態４の実施例の具体的機能ブロック図
【図２０】実施形態４の実施例の具体的処理の流れ図
【図２１】実施形態５の概念図
【図２２】実施形態５の機能ブロック図
【図２３】実施形態５の処理の流れ図
【図２４】実施形態５の実施例の具体的機能ブロック図
【図２５】実施形態５の実施例の具体的処理の流れ図
【図２６】実施形態６の概念図
【図２７】実施形態６の機能ブロック図
【図２８】実施形態６の処理の流れ図
【図２９】実施形態６の実施例の具体的機能ブロック図
【図３０】実施形態６の実施例の具体的処理の流れ図
【図３１】実施形態７の機能ブロック図
【図３２】実施形態７の処理の流れ図
【図３３】実施形態７の実施例の具体的機能ブロック図
【図３４】実施形態７の実施例の具体的処理の流れ図
【図３５】実施形態８の機能ブロック図
【図３６】実施形態８の物理情報登録部の説明図
【図３７】実施形態８の処理の流れ図
【図３８】実施形態８の実施例の具体的機能ブロック図
【図３９】実施形態８の実施例を説明（その１）する図
【図４０】実施形態８の実施例を説明（その２）する図
【図４１】実施形態８の実施例を説明（その３）する図
【符号の説明】
【０１０１】
０２００  情報記録再生装置
０２０１  種別識別情報取得部
０２０２  再生開始動作実行部
０２０３  固有識別情報取得部
０２０４  物理情報保持部
０２０５  物理情報取得部
【図１】
2006040369.tif 000003
【図２】
2006040369.tif 000004
【図３】
2006040369.tif 000005
【図４】
2006040369.tif 000006
【図５】
2006040369.tif 000007
【図６】
2006040369.tif 000008
【図７】
2006040369.tif 000009
【図８】
2006040369.tif 000010
【図９】
2006040369.tif 000011
【図１０】
2006040369.tif 000012
【図１１】
2006040369.tif 000013
【図１２】
2006040369.tif 000014
【図１３】
2006040369.tif 000015
【図１４】
2006040369.tif 000016
【図１５】
2006040369.tif 000017
【図１６】
2006040369.tif 000018
【図１７】
2006040369.tif 000019
【図１８】
2006040369.tif 000020
【図１９】
2006040369.tif 000021
【図２０】
2006040369.tif 000022
【図２１】
2006040369.tif 000023
【図２２】
2006040369.tif 000024
【図２３】
2006040369.tif 000025
【図２４】
2006040369.tif 000026
【図２５】
2006040369.tif 000027
【図２６】
2006040369.tif 000028
【図２７】
2006040369.tif 000029
【図２８】
2006040369.tif 000030
【図２９】
2006040369.tif 000031
【図３０】
2006040369.tif 000032
【図３１】
2006040369.tif 000033
【図３２】
2006040369.tif 000034
【図３３】
2006040369.tif 000035
【図３４】
2006040369.tif 000036
【図３５】
2006040369.tif 000037
【図３６】
2006040369.tif 000038
【図３７】
2006040369.tif 000039
【図３８】
2006040369.tif 000040
【図３９】
2006040369.tif 000041
【図４０】
2006040369.tif 000042
【図４１】
2006040369.tif 000043